(57)【要約】【課題】ワイヤの撓み量を抑制できるようにした結束機を提供する。【解決手段】ワイヤＷが巻かれたリール１２０が収容される収容部１１０と、リール１２０に巻かれたワイヤＷを正方向に送り、結束物の周囲に巻き回し、結束物の周囲に巻き回したワイヤＷを逆方向に送り、結束物に巻き付けるワイヤ送り部１６０を備え、収容部１１０は、ワイヤ送り部１６０に対しリール１２０の軸線方向に沿った一の方向にリール１２０がオフセットされて収納されると共に、収容部１１０に収容されたリール１２０とワイヤ送り部１６０の間のワイヤ通路１１０ｂにおいて、リール１２０がオフセットされた側の反対側に、リール１２０とワイヤ送り部１６０の間でリール１２０の軸線方向に沿った他の方向へ撓むワイヤＷが接する規制部１１１を備える。【選択図】図２
2020133129.tif 000002
【特許請求の範囲】
【請求項１】
ワイヤが巻かれたリールが収容される収容部と、
前記リールに巻かれたワイヤを正方向に送り、結束物の周囲に巻き回し、結束物の周囲に巻き回したワイヤを逆方向に送り、結束物に巻き付けるワイヤ送り部と、
ワイヤを捩じる捩り部とを備え、
前記収容部は、前記ワイヤ送り部に対し、ワイヤが送られることで回転する前記リールの軸線方向に沿った一の方向に前記リールがオフセットされて収容され、
前記収容部に収容された前記リールと前記ワイヤ送り部の間のワイヤ通路において、前記収容部の内方へ突出し、前記リールと前記ワイヤ送り部の間で前記リールの軸線方向に沿った他の方向へ撓むワイヤが接する規制面を有した規制部を備えた
結束機。
【請求項２】
前記規制部は、前記リールがオフセットされた側の反対側の側壁から、前記リールのオフセット方向に沿って突出する
請求項１に記載の結束機。
【請求項３】
前記規制部は、前記リールの前壁部から、前記リールのオフセット方向に交差する方向に突出する
請求項１または２に記載の結束機。
【請求項４】
前記規制部は、前記規制面から突出する規制凸部が前記規制面に沿って設けられ、前記規制面を凹状とした
請求項１〜請求項３の何れか１項に記載の結束機。
【請求項５】
前記収容部は、前記リールが収容されるケースと、前記ケースに対して前記リールがオフセットされた側に開閉可能に設けられるカバーを備え、前記規制部は前記ケースに設けられる
請求項１〜請求項４の何れか１項に記載の結束機。
【請求項６】
前記収容部は、前記リールを支承することが可能な支持部を備え、前記支持部に対して前記ワイヤ通路が設けられる側の反対側で、前記リールがオフセットされた側に位置する前記リールの一方のフランジ部の外周面と対向する位置に、前記リールの径方向に沿って突出した外れ規制部を備え、前記外れ規制部は、前記リールの周方向に沿った複数個所に、間隔を空けて設けられる
請求項１〜請求項５の何れか１項に記載の結束機。
【請求項７】
前記収容部は、前記収容部を開閉し前記リールを支承することが可能な支持部を有するカバーを設け、
前記カバーは、前記支持部の外周に露出させて、前記支持部より硬質の硬質部材を備えた
請求項１〜請求項６の何れか１項に記載の結束機。
【請求項８】
前記硬質部材は、金属で構成される
請求項７に記載の結束機。
【請求項９】
前記リールは、２本以上のワイヤが引き出し可能に巻かれる
請求項１〜請求項８の何れか１項に記載の結束機。
【発明の詳細な説明】
【技術分野】
【０００１】
鉄筋等の結束物をワイヤで結束する結束機に関する。
【背景技術】
【０００２】
従来から、２本以上の鉄筋にワイヤを巻き回し、巻き回したワイヤを捩じって当該２本以上の鉄筋を結束する鉄筋結束機と称す結束機が提案されている。
【０００３】
従来の鉄筋結束機は、ワイヤ送り部でワイヤを送って鉄筋の周囲に巻き回した後、ワイヤを捩じって結束する構成である。このような鉄筋結束機に対し、鉄筋の周囲にワイヤを巻き回した後、ワイヤを鉄筋に密着するように巻き付けて切断し、ワイヤの一方の端部側と他方の端部側が交差する箇所を捩じって鉄筋を結束する鉄筋結束機が提案されている。
【０００４】
鉄筋の周囲に巻き回したワイヤを引き戻して鉄筋に巻き付けるため、ワイヤ送り部でワイヤが逆方向に送られる。ワイヤを逆方向に送る動作で、リールに巻かれているワイヤが撓む。更にワイヤを逆方向に送る動作で、撓んだワイヤがリールの軸線方向に沿って横移動する。ワイヤの横移動は、リールをワイヤ送り部に対して左右方向の一方にオフセットさせたことに伴い顕著化したもので、ワイヤ送り部でワイヤを逆方向に送ると、ワイヤが、リールのオフセット方向へ向うものとなる。そこで、リールのオフセット側の内壁部に、ワイヤの移動を規制する凸部からなる規制部を設ける技術が提案されている（例えば、特許文献１参照）。
【０００５】
また、ワイヤを逆方向に送る動作で、リールとワイヤ送り部との間のワイヤが、ワイヤ送り部への入線経路から外れることを規制する手段を備えた技術が提案されている（例えば、特許文献２参照）。
【先行技術文献】
【特許文献】
【０００６】
【特許文献１】国際公開第２０１７／０１４２８０号
【特許文献２】特開２０１７−２５７００号公報
【発明の概要】
【発明が解決しようとする課題】
【０００７】
結束機では、リールとワイヤ送り部の間に、ワイヤをワイヤ送り部に装填するための空間が確保されており、リールとワイヤ送り部の間で、ワイヤがリールの軸線方向に移動し得る。ワイヤを逆方向に送る動作で、撓んだワイヤがリールの軸線方向に沿ってリールのオフセット方向に横移動すると、リールとワイヤ送り部の間では、ワイヤがリールのオフセット方向の反対側に曲がる力が加わる。リールとワイヤ送り部の間の部位のワイヤの撓み量が大きくなると、座屈と称すワイヤが折れるような様態が発生し、ワイヤ同士が絡みやすくなって、ワイヤの送り不良の原因、使用ができなくなったワイヤを除去しての再装填の原因となる。また、ワイヤの撓み量が大きくなると、ワイヤがリールのフランジ部からリールの外側に外れやすくなる。
【０００８】
このような課題を解決するため、ワイヤの撓み量を抑制できるようにした結束機を提供することを目的とする。
【課題を解決するための手段】
【０００９】
上述した課題を解決するため、ワイヤが巻かれたリールが収容される収容部と、リールに巻かれたワイヤを正方向に送り、結束物の周囲に巻き回し、結束物の周囲に巻き回したワイヤを逆方向に送り、結束物に巻き付けるワイヤ送り部と、ワイヤを捩じる捩り部とを備え、収容部は、ワイヤ送り部に対し、ワイヤが送られることで回転するリールの軸線方向に沿った一の方向にリールがオフセットされて収容され、収容部に収容されたリールとワイヤ送り部の間のワイヤ通路において、収容部の内方へ突出し、リールとワイヤ送り部の間でリールの軸線方向に沿った他の方向へ撓むワイヤが接する規制面を有した規制部を備えた結束機である。
【００１０】
ワイヤを逆方向に送る動作で、リールに巻かれているワイヤが撓む。更にワイヤを逆方向に送る動作で、撓んだワイヤが、リールがオフセットされた側へ、リールの軸線方向に沿って移動する。更にワイヤを逆方向に送る動作で、リールとワイヤ送り部の間のワイヤが、リールがオフセットされた側の反対側に、リールの軸線方向に沿った他の方向へ撓む。リールがオフセットされた側の反対側に、リールの軸線方向に沿った他の方向へ撓んだワイヤは、収容部の内方へリールのオフセット方向に突出する規制部に接することで、ワイヤをリールのオフセット方向の反対側に曲げようとする力を、リールとワイヤ送り部の間の規制部で受ける。
【発明の効果】
【００１１】
本発明では、ワイヤを逆方向に送る動作で、リールとワイヤ送り部の間のワイヤを曲げようとする力が加わった場合に、この力をリールとワイヤ送り部の間の規制部で受けるので、ワイヤが曲がりにくくなり、ワイヤ通路でのワイヤの撓み量が低減されるので、ワイヤ同士が絡むこと等が抑制され、ワイヤの送り不良の発生を抑制できる。また、ワイヤがリールのフランジ部からリールの外側に外れることが抑制される。
【図面の簡単な説明】
【００１２】
【図１】実施例に係る結束機の一部破断した全体側面図である。
【図２】図１の結束機の正面図である。
【図３】収容部の側面図である。
【図４】収容部の内部構成を示す側面図である。
【図５】収容部の内部構成を示す破断斜視図である。
【図６】収容部の内部構成を示す図３のＡ−Ａ線断面図である。
【図７Ａ】収容部のカバーを裏面からみた斜視図である。
【図７Ｂ】収容部のカバーを裏面からみた斜視図である。
【図８】収容部のカバーを裏面からみた平面図である。
【図９】収容部のカバーの断面図である。
【図１０】収容部のカバーを裏面からみた斜視図である。
【発明を実施するための形態】
【００１３】
以下、本発明の結束機の実施の形態を説明する。図１〜図１０は、本実施の形態を説明するためのものである。
【００１４】
＜構成＞
以下、構成について説明する。図１の側面図、図２の正面図に示すように、例えば、建築現場で鉄筋や電線等の結束対象物（以下鉄筋Ｓ）を結束するのに、鉄筋結束機（結束機）１Ａが用いられている。この鉄筋結束機１Ａは、ワイヤＷを矢印Ｆで示す正方向に送り、ワイヤＷに円弧状の曲げ癖をつけながらカールさせ、鉄筋Ｓの周囲を取り囲むループＲｕを作る。次に、ワイヤＷを引き戻すためにワイヤＷを矢印Ｒで示す逆方向に送り、ループＲｕを作ったワイヤＷを鉄筋Ｓに巻き付けた後、ワイヤＷを切断する。次に、ワイヤＷを捩ることによって鉄筋Ｓの結束を行い得るようにしたものである。
【００１５】
以下、鉄筋結束機１Ａについて説明する。上記した鉄筋結束機１Ａは、本体部１０Ａと、ハンドル部１１Ａとを有している。
【００１６】
なお、以下の説明では、方向については、図１の状態（鉄筋結束機１Ａを立てた状態）を基準としている。そして、本体部１０Ａの長手方向（図１の左右方向に相当する方向）を前後方向とし、本体部１０Ａの長手方向と直交する方向のうちの所定の一方向（図１の上下方向に相当する方向）を上下方向（または高さ方向）とし、前後方向および上下方向と直交する方向を左右方向（または幅方向）とする。また、本体部１０Ａの長手方向の一端側（鉄筋Ｓへ向ける側、図１の左側）を前側または先端側、本体部１０Ａの長手方向の他端側（鉄筋Ｓとは反対の側、図１の右側）を後側または後端側とする。更に、本体部１０Ａを基準として図１の上側を上、本体部１０Ａを基準として図１の下側（ハンドル部１１Ａが延びる方向）を下とする。そして、図１の紙面奥側（図２の左側）を本体部１０Ａの右、図１の紙面手前側（図２の右側）を本体部１０Ａの左とする。
【００１７】
ハンドル部１１Ａは、本体部１０Ａの長手方向のほぼ中間部からほぼ下方へ向けて延びるように設けられている。このハンドル部１１Ａには、トリガ１２Ａが設けられると共に、下部に電池パック１５Ａが着脱できるようになっている。そして、図示しない電源スイッチが入った状態でトリガ１２Ａを引くことにより、鉄筋結束機１Ａが作動されて、結束動作がなされる。
【００１８】
そして、ハンドル部１１Ａの前側には、鉄筋Ｓの結束に使われるワイヤＷが巻き付けられたリール１２０をセットするための収容部１１０が設けられている。ワイヤＷを巻き付けたリール１２０は、収容部１１０に対して着脱可能にセットされる。
【００１９】
また、本体部１０Ａには、リール１２０に巻かれたワイヤＷを本体部１０Ａの先端側に設けられた結束部１５０へ向けて送るためのワイヤ送り部１６０が設けられている。ワイヤ送り部１６０は、本体部１０Ａの先端側下部に設けられる。また、収容部１１０は、ワイヤ送り部１６０の下部に設けられている。
【００２０】
ワイヤ送り部１６０は、図２に示すように、ワイヤＷを送るための一対の送り部材である送りギア１７０と、一対の送りギア１７０のうちの一方を回転駆動するための図示しない送りモータ等を備えている。送りギア１７０は、例えば、ワイヤＷを左右から挟むように一対設けられる。左右一対の送りギア１７０は、一方が駆動輪とされ、他方が従動輪とされる。従動輪とされた送りギア１７０は、駆動輪とされた送りギア１７０に対し近づく方向及び離れる方向に移動可能に設けられる。また、従動輪とされた送りギア１７０は、駆動輪とされた送りギア１７０に対し近づく方向へ、所要の押圧力で押圧される。
【００２１】
送りギア１７０の外周の厚み方向中央部には、ワイヤＷを受けて摩擦駆動するためのＶ溝状の送り溝部が設けられており、周方向へ延びる噛み込み用溝部を形成している。
【００２２】
ワイヤ送り部１６０は、送りギア１７０を正転させることで、ワイヤＷを結束部１５０へ送ることができるようになっている。また、送りギア１７０を逆転させることで、ワイヤＷを結束部１５０から収容部１１０へ引き戻すことができるようになっている。
【００２３】
また、結束部１５０には、鉄筋Ｓに対して当接可能な当接部２５０が設けられている。また、結束部１５０には、ワイヤ送り部１６０によって送られてきたワイヤＷをループＲｕにするためのカールガイド部５Ａが設けられている。カールガイド部５Ａは、当接部２５０を挟んで上下に一対設けられた第１のガイド部５０と第２のガイド部５１とを有している。
【００２４】
第１のガイド部５０は、その内周側にワイヤＷに円弧状の曲げ癖を与えるためのカール用溝部を有している。第２のガイド部５１は、その内周側に第１のガイド部５０でカールされたワイヤＷを受けるための溝を有している。そして、ワイヤＷは、第１のガイド部５０と第２のガイド部５１との間を、図中反時計回りに通されることでループＲｕを作るようになっている。そして、第１のガイド部５０と第２のガイド部５１との間は、当接部２５０へ向けて鉄筋Ｓを通すための通過部となっている。
【００２５】
更に、図１、図２に示すように、本体部１０Ａには、少なくとも、ワイヤ送り部１６０の入側に、ワイヤＷを案内したり位置規制したりするためのワイヤガイド３１０が設けられている。図示しないが、ワイヤ送り部１６０の出側、ならびに、第１のガイド部５０の少なくとも基部の位置にもワイヤガイドが設けられる。２本のワイヤＷを送る構成では、ガイドは２本のワイヤＷを並列させるための並列ガイドとなる。
【００２６】
また、図示しないが、ワイヤ送り部１６０の出側に、ワイヤＷのループＲｕになった部分をその他の部分から切り離すために切断部が設けられており、固定刃と可動刃とを有している。
【００２７】
加えて、本体部１０Ａの先端側の当接部２５０は、ワイヤＷのループＲｕの軸方向両側に位置し、所要の間隔を有して左右一対設けられている。本体部１０Ａの内部における、左右の当接部２５０間の位置には、ループＲｕにしたワイヤＷを捩り絞ることで、鉄筋Ｓに対してワイヤＷを締め込むようにする捩り部３５０が設けられている。捩り部３５０は、ワイヤＷを挟んだり離したり引っ掛けたりできるようにした把持部７０と、把持部７０の回転動作等を行う図示しない駆動機構を備えている。
【００２８】
図２に示すように、把持部７０は、固定把持部材７０Ｃと左右一対の第１の可動把持部材７０Ｌ及び第２の可動把持部材７０Ｒとを備えており、ループＲｕにしたワイヤＷの重なり部分をそれぞれ別個に通すための左右のワイヤ通し部を構成し得るようになっている。
【００２９】
図６に示すように、リール１２０は、ワイヤＷの巻芯となる筒状のハブ部４１０と、このハブ部４１０の軸線方向両端側またはその周辺に一体に設けられた一対のフランジ部４２０、４３０とを有している。フランジ部４２０、４３０は、ハブ部４１０よりも径の大きい略円板状のもの等とされており、ハブ部４１０と同心に設けられている。なお、リール１２０は、ＡＢＳ樹脂や、ポリエチレンや、ポリプロピレン等のような樹脂によって形成される。リール１２０は、１本のワイヤまたは２本以上の複数本のワイヤＷがハブ部４１０に巻かれる。例えば、２本のワイヤＷがハブ部４１０に巻かれている場合、リール１２０から同時に２本のワイヤＷを引き出せるようになっている。また、収容部１１０に対するリール１２０の着脱方向は、ハブ部４１０の軸線方向に沿ったリール１２０の軸線方向とされている。
【００３０】
リール１２０は、ワイヤ送り部１６０でワイヤＷを正方向に送る動作で、ワイヤＷがリール１２０から引き出されることに伴って従動して回転されるようになっている。そのために、収容部１１０には、リール１２０のハブ部４１０のフランジ部４２０側を支承するための支持部である第１の支持部６９０が設けられる。また、収容部１１０を開閉するカバー５８０の内面には、リール１２０のフランジ部４３０の外面に設けた凹部６７０に入り、リール１２０のハブ部４１０のフランジ部４３０側を支承するための支持部である第２の支持部６８０が設けられる。なお、第１の支持部６９０は、ワイヤＷを正方向に送る動作ではリール１２０の回転を許容し、ワイヤＷを逆方向に送る動作ではリール１２０の回転を規制する構成が設けられている。また、第２の支持部６８０は、カバー５８０と一体に成型される。
【００３１】
ワイヤＷは、鉄筋結束機１Ａが図１に示す向きである場合、リール１２０の時計回りの回転（図１参照）によって、リール１２０からほぼ上方へ引き出される。また、リール１２０は、本体部１０Ａやワイヤ送り部１６０の幅中心位置に対して、左右方向の一方、本例では、右利きの人が扱い易いように装置左側にオフセットした状態で配置されている（図２の右側）。特に、リール１２０は、第１のガイド部５０に対して横方向に完全にオフセットされるようにしている。但し、リール１２０は、本体部１０Ａやワイヤ送り部１６０に対して、上記とは反対の側にオフセット配置しても良い。なお、ワイヤ送り部１６０の幅中心位置とは、ワイヤＷの送り経路を示しており、具体的には、ワイヤガイド３１０によるワイヤＷのガイド位置である。
【００３２】
収容部１１０は、リール１２０を収容可能なケース５６０と、ケース５６０に設けられたリール１２０を装着するための開口部５７０を開閉可能なカバー５８０等の部材によって構成されている。なお、ケース５６０及びカバー５８０は、ＡＢＳ樹脂や、ポリエチレンや、ポリプロピレン等の樹脂によって形成される。
【００３３】
収容部１１０は、マガジン等と称され、ケース５６０の内部に、少なくとも、リール１２０を収容可能な略円筒状の凹部で構成されるリール収容部１１０ａが形成される。
【００３４】
収容部１１０は、リール収容部１１０ａの上側に、リール１２０から引き出されたワイヤＷをワイヤ送り部１６０の入側のワイヤガイド３１０まで導くためワイヤ通路１１０ｂが設けられる（図１、図２参照）。ワイヤ通路１１０ｂは、リール収容部１１０ａとワイヤ送り部１６０の間、詳細には、収容部１１０に収容されたリール１２０とワイヤ送り部１６０の間に設けられる。ワイヤ通路１１０ｂは、リール収容部１１０ａと一体に連なって、内部をワイヤＷが自由に通れる空間を構成している。
【００３５】
開口部５７０は、ケース５６０に対し、リール１２０のオフセット側である一方の側、本例では装置左側の面（図２の右側）に設けられている。
【００３６】
カバー５８０は、マガジンカバー等と呼ばれているものであり、ケース５６０の開口部５７０とほぼ同じ形状を有する。カバー５８０は、ケース５６０に対しヒンジ部６１０を中心として開閉するように取付けられている。ヒンジ部６１０は、収容部１１０の後方側の位置に設けられている。ヒンジ部６１０には、ケース５６０に対してカバー５８０を常時開方向へ付勢する付勢バネが介装されている。
【００３７】
ケース５６０とカバー５８０との間には、カバー５８０を閉止状態に保持させるためのロック装置６２０（図１参照）が設けられる。
【００３８】
そして、以上のような基本的または全体的な構成に対し、この実施例は、以下のような構成を備えている。
【００３９】
ワイヤＷを引き戻して鉄筋Ｓに巻き付けるため、図１に示すように、ワイヤＷを矢印Ｒで示す逆方向に送る動作では、リール１２０が回転しないことから、リール１２０に巻かれている部位のワイヤＷが、矢印Ｑ１で示すリール１２０の径方向に沿って、矢印Ｒ１で示すように広がる方向へ撓む。そして、ワイヤＷの撓んだ部位が、収容部１１０においてワイヤ通路１１０ｂが設けられる側の反対側に設けられる部位であって、矢印Ｑ３で示すリール１２０の周方向に沿った内壁部５１０に接する。
【００４０】
ワイヤＷの撓んだ部位が、図２に示すように、収容部１１０において第１の支持部６９０及び第２の支持部６８０に対してワイヤ通路１１０ｂが設けられる側の反対側、すなわち、図２に矢印Ｑ１で示すリール１２０の径方向に対して、ワイヤ通路１１０ｂが設けられる側の反対側の内壁部５１０に接した状態で、更にワイヤＷが矢印Ｒで示す逆方向に送られると、ワイヤＷが、矢印Ｑ２で示すリール１２０の軸線方向に沿って、図２に矢印Ｒ２で示すように横移動する。
【００４１】
ワイヤＷの横移動は、リール１２０を、本体部１０Ａやワイヤ送り部１６０に対して、左右方向の一方にオフセットさせたことに伴い顕著化したもので、ワイヤ送り部１６０でワイヤＷを逆方向に送ると、ワイヤＷが、ワイヤ送り部１６０に対するリール１２０のオフセット方向、図２では右側へ向うものとなる。
【００４２】
また、ワイヤＷが内壁部５１０に接した状態で、更にワイヤＷが逆方向に送られると、ワイヤＷにおいて、リール１２０から引き出された部位と、ワイヤ送り部１６０で逆方向に送られる部位の間が、図１に矢印Ｒ３で示すようにワイヤ通路１１０ｂの前壁部１１０ｃの方向へ移動する。
【００４３】
ワイヤＷを逆方向に送ることでワイヤＷが前壁部１１０ｃに接し、前壁部１１０ｃの方向へ移動できなくなると、ワイヤＷは、図２に矢印Ｒ４で示すように横方向へ撓む。ワイヤ通路１１０ｂは、ワイヤＷを人手でワイヤ送り部１６０に装填する作業を容易にするための空間が確保されている。これにより、ワイヤＷを逆方向に送る動作で、ワイヤＷの撓み量が大きくなり、ワイヤＷが曲がる可能性がある。このように、ワイヤＷにおいて、リール１２０から引き出された部位と、ワイヤ送り部１６０で挟持される部位の間が撓み、撓み量が大きくなってワイヤＷが曲がることを座屈と称す。
【００４４】
ワイヤＷが撓む方向は、一の方向であるリール１２０のオフセット方向の反対の方向である他の方向であり、図２では左側の側壁部１１０ｅ方向へ向かうものとなる。ワイヤＷの撓み量が増加して、ワイヤＷが曲がると、ワイヤ同士の絡み等が発生しやすくなり、送り不良の原因となる。特に、２本のワイヤＷを送る構成では、ワイヤＷの径が細いため、２本のワイヤＷがクロスした状態、あるいは、２本のワイヤＷが離れた状態となる等、ワイヤＷを巻く序列が崩れやすくなり、ワイヤＷ同士が絡みやすくなる。更に、ワイヤＷの撓み量が増加すると、内壁部５１０に接している部位のワイヤＷが、リール１２０のオフセット方向へ更に横移動し、横方向に移動したワイヤＷが、リール１２０のフランジ部４３０を超えやすくなる。
【００４５】
そこで、収容部１１０は、ワイヤＷの撓み量を低減するため規制部１１１を備える。規制部１１１は、収容部１１０に収容されたリール１２０とワイヤ送り部１６０の間のワイヤ通路１１０ｂにおいて、リール１２０がオフセットされた一の方向側の反対側である他の方向側の側壁部１１０ｅに設けられる。
【００４６】
規制部１１１は、収容部１１０の内方へ突出し、リール１２０とワイヤ送り部１６０の間で、リール１２０の軸線方向に沿って、リール１２０のオフセット方向に対し反対方向である他の方向へ撓むワイヤＷが接する規制面１１１ａを備える。規制部１１１は、側壁部１１０ｅからリール１２０のオフセット方向（一の方向）に沿って、前壁部１１０ｃからリール１２０のオフセット方向に交差する方向に所定の高さを以て突出する。また、規制部１１１は、リール１２０のオフセット方向に対し反対方向である他の方向へ撓むワイヤＷが接する規制面１１１ａを有していれば、側壁部１１０ｅから突出する必要はなく、前壁部１１０ｃから収容部１１０の内方へ、リール１２０のオフセット方向に交差する方向に突出していても良い。
【００４７】
規制部１１１は、規制面１１１ａに接したワイヤＷが規制面１１１ａから外れることを規制するため規制凸部１１１ｂを備える。規制凸部１１１ｂは、規制面１１１ａから収容部１１０及びワイヤ通路１１０ｂの内方（一の方向）へ突出する凸部が、規制面１１１ａの縁部に沿って設けられ、規制面１１１ａが、ワイヤＷが送られる方向に沿った凹状に形成される。
【００４８】
上述したように、収容部１１０は、リール１２０が収容されるケース５６０と、ケース５６０に対してリール１２０がオフセットされた側（一の方向側）に開閉可能に設けられるカバー５８０を備えている。ワイヤＷが逆方向に送られることによりワイヤＷが撓む方向は、ワイヤＷがオフセットされた側の反対側（他の方向側）となる。そこで、規制部１１１は、ケース５６０に設けられる。
【００４９】
また、収容部１１０は、図４、図６、図７Ａ、図７Ｂ、図８、図９に示すように、ワイヤＷを逆方向に送る動作でリール１２０の軸線方向に横移動するワイヤＷが、リール１２０のフランジ部４３０を超えることを抑制する外れ規制部１１２を備える。
【００５０】
上述したように、ワイヤＷを逆方向に送る動作で横移動するワイヤＷは、リール１２０のオフセット方向である一の方向へ向うものとなる。このため、外れ規制部１１２は、ワイヤＷが横移動する方向に位置するカバー５８０に設けられる。
【００５１】
外れ規制部１１２は、カバー５８０でケース５６０を閉じた状態の収容部１１０において、第１の支持部６９０及び第２の支持部６８０に対してワイヤ通路１１０ｂが設けられる側の反対側で、収容部１１０に収容されたリール１２０のフランジ部４３０と対向する位置に設けられる。外れ規制部１１２は、矢印Ｑ３で示すリール１２０の周方向の略半周程度の範囲で、リール１２０の周方向に沿った複数個所に、所定の間隔を空けて設けられる。
【００５２】
外れ規制部１１２は、カバー５８０の内周面５８０ａから、リール１２０の径方向に沿って突出する凸部で構成され、リール１２０のフランジ部４３０の外周面４３０ａと対向する近接部１１２ａを備える。
【００５３】
外れ規制部１１２は、リール１２０のハブ部４１０のフランジ部４２０側が第１の支持部６９０で支承され、リール１２０のフランジ部４３０の外面の凹部６７０に第２の支持部６８０が入り、ハブ部４１０のフランジ部４３０側が第２の支持部６８０で支承された状態で、近接部１１２ａと、フランジ部４３０の外周面４３０ａとの間隔が、ワイヤＷの直径未満となり、かつ、近接部１１２ａがフランジ部４３０と接しないように、リール１２０の径方向に沿った高さが設定される。
【００５４】
また、更に、外れ規制部１１２は、リール１２０の軸線方向に沿った高さが、フランジ部４３０の内側の面４３０ｂを超えない高さに設定される。
【００５５】
更に、収容部１１０は、図７Ａ、図７Ｂ、図８、図９に示すように、収容部１１０に収容されるリール１２０を誘導する誘導部１１４を備える。誘導部１１４は、カバー５８０においてヒンジ部６１０が設けられている側に設けられる。また、誘導部１１４は、カバー５８０において第２の支持部６８０に対してヒンジ部６１０が設けられている側の反対側に設けられていても良い。
【００５６】
誘導部１１４は、カバー５８０の内周面５８０ａから、リール１２０の径方向及び軸線方向に沿って突出する凸部で構成される。誘導部１１４は、リール１２０のフランジ部４３０の外周面４３０ａと対向する近接部１１４ａを備える。また、誘導部１１４は、近接部１１４ａから連続する面で構成され、リール１２０のフランジ部４３０が接触すると、リール１２０を近接部１１４ａに向けて誘導する斜面１１４ｂを備える。
【００５７】
誘導部１１４は、リール１２０のハブ部４１０のフランジ部４２０側が第１の支持部６９０で支承され、リール１２０のハブ部４１０のフランジ部４３０側が第２の支持部６８０で支承された状態で、近接部１１４ａと、フランジ部４３０の外周面４３０ａとの間隔が、ワイヤＷの直径未満となり、かつ、近接部１１４ａがフランジ部４３０と接しないように、リール１２０の径方向に沿った高さが設定される。
【００５８】
収容部１１０は、図６、図７Ａ、７Ｂ、図８に示すように、カバー５８０に設けた第２の支持部６８０の摩耗を抑制する硬質部材１１３を備える。硬質部材１１３は、カバー５８０を構成する樹脂と比較して硬質で耐摩耗性が高い例えば金属の棒状の部材で構成される。
【００５９】
硬質部材１１３は、第２の支持部６８０の周方向に沿った所定の複数個所に、第２の支持部６８０の外周に露出させて設けられる。硬質部材１１３が設けられる位置は、ワイヤ通路１１０ｂに対して遠い側である。つまり、硬質部材１１３は、第２の支持部６８０の中心に対して、ワイヤ通路１１０ｂの反対側に設けられる。これは、ワイヤＷを正方向に送る動作では、第２の支持部６８０に対してリール１２０が摺動する部位が、主に、ワイヤ通路１１０ｂに対して遠い側の部位となるためである。硬質部材１１３は、棒状の金属の他、板状の金属でも良いし、リール１２０の摺動方向に沿って回転可能な金属のローラでも良い。
【００６０】
＜作用＞
次に、各図を参照して、本実施の形態の鉄筋結束機１Ａにより鉄筋Ｓを２本のワイヤＷで結束する動作について説明する。
【００６１】
鉄筋結束機１Ａは、一対の送りギア１７０の間にワイヤＷが挟持され、トリガ１２Ａが操作されると、送りギア１７０が正方向に回転し、２本のワイヤＷが矢印Ｆで示す正方向に送られる。
【００６２】
正方向に送られるワイヤＷは、第１の可動把持部材７０Ｌと固定把持部材７０Ｃの間を通り、カールガイド部５Ａを通過することで、鉄筋Ｓの周囲に沿って巻き癖が付けられる。第１のガイド部５０で巻き癖が付けられたワイヤＷは、第２のガイド部５１で第２の可動把持部材７０Ｒと固定把持部材７０Ｃの間に誘導される。そして、ワイヤＷの端部が所定の位置まで送られると、ループＲｕが形成される。
【００６３】
ワイヤＷの送りを停止した後、把持部７０を作動させ、第１の可動把持部材７０Ｌと第２の可動把持部材７０Ｒを固定把持部材７０Ｃ方向に移動させ、ワイヤＷの端部を把持する。把持部７０でワイヤＷを把持すると、送りギア１７０を逆方向に回転させ、ワイヤＷを矢印Ｒで示す逆方向に送る。ワイヤＷを逆方向に送る動作で、ワイヤＷは鉄筋Ｓに密着されるようにして巻き付けられる。
【００６４】
ワイヤＷを鉄筋Ｓに巻き付けて、ワイヤＷの送りを停止した後、図示しない切断部でワイヤＷを切断する。ワイヤＷを切断した後、ワイヤＷの端部を鉄筋Ｓ側に曲げ、ワイヤＷを把持している把持部７０を回転させ、ワイヤＷを捩じる。ワイヤＷを捩じった後、第１の可動把持部材７０Ｌと第２の可動把持部材７０Ｒを固定把持部材７０Ｃから離れる方向に移動させ、ワイヤＷの把持を解除する。
【００６５】
＜効果＞
この実施の形態によれば、従来の課題に対し以下のような効果を得ることができる。
【００６６】
上述したように、ワイヤＷを引き戻して鉄筋Ｓに巻き付けるため、ワイヤＷを矢印Ｒで示す逆方向に送る動作では、リール１２０が回転しないことから、リール１２０に巻かれている部位のワイヤＷが、矢印Ｑ１で示すリール１２０の径方向に沿って、矢印Ｒ１で示すように広がる方向へ撓み、ワイヤＷの撓んだ部位が、収容部１１０において第１の支持部６９０及び第２の支持部６８０に対してワイヤ通路１１０ｂが設けられる側の反対側の内壁部５１０に接する。
【００６７】
ワイヤＷの撓んだ部位が内壁部５１０に接した状態で、更にワイヤＷが矢印Ｒで示す逆方向に送られると、ワイヤＷが、矢印Ｑ２で示すリール１２０の軸線方向に沿って、図２に矢印Ｒ２で示すようにリール１２０のオフセット方向である一の方向へ横移動する。
【００６８】
ワイヤＷが内壁部５１０に接した状態で、更にワイヤＷが逆方向に送られると、ワイヤＷにおいて、リール１２０から引き出された部位と、ワイヤ送り部１６０で挟持される部位の間が、図１に矢印Ｒ３で示すようにワイヤ通路１１０ｂの前壁部１１０ｃの方向へ移動し、更に、図２に矢印Ｒ４で示すように他の方向（オフセット方向の反対の方向）の側壁部１１０ｅ方向へ曲がる。
【００６９】
ワイヤＷを逆方向に送る動作で、ワイヤＷにおいて、リール１２０から引き出された部位と、ワイヤ送り部１６０で挟持される部位の間が、側壁部１１０ｅ方向へ撓むと、ワイヤＷが規制部１１１に接触する。
【００７０】
図５において、Ｌ１、Ｌ２は、ワイヤＷがオフセット方向の反対の方向に移動して、側壁部１１０ｅ等に接する際の支点間の長さを示し、Ｌ１は、規制部１１１を設けた場合における支点長さ、Ｌ２は、規制部がない場合の支点長さを示す。
【００７１】
ワイヤＷを座屈させるために必要な座屈荷重は、支点長さの２乗に反比例するため、支点長を短くすることで、座屈しにくくなる。図５に示すように、規制部１１１を備えることにより、ワイヤＷがオフセット方向の反対の方向に移動して、規制部１１１に接触することで、規制部１１１がワイヤＷを支持する支点となり、規制部がない場合と比較して、支点長が短くなる。
【００７２】
これにより、ワイヤＷを曲げようとする力が加わった場合に、ワイヤＷが曲がりにくくなり、ワイヤＷが側壁部１１０ｅ方向へ曲がることが抑制されるので、ワイヤＷの撓み量が低減され、座屈の発生が抑制される。
【００７３】
また、規制部１１１には、規制面１１１ａに接したワイヤＷが規制面１１１ａから外れることを規制するため規制凸部１１１ｂを備えることで、規制面１１１ａが凹状となり、規制面１１１ａに接したワイヤＷが規制部１１１を超えて更に側壁部１１０ｅ方向へ曲がることが抑制されるので、撓み量が低減される。
【００７４】
ワイヤＷの撓み量が低減されることで、ワイヤＷ同士が絡むことが抑制され、ワイヤの送り不良の発生を抑制できる。特に、２本のワイヤＷを送る構成では、２本のワイヤＷがクロスした状態、あるいは、２本のワイヤＷが離れた状態となる等、ワイヤＷを巻く序列が崩れることが抑制され、ワイヤＷ同士が絡むことが抑制される。
【００７５】
そして、ワイヤＷの撓み量が低減されることで、内壁部５１０に接している部位のワイヤＷが、リール１２０のオフセット方向へ更に横移動することが抑制され、横方向に移動したワイヤＷが、リール１２０のフランジ部４３０を超えにくくなる。
【００７６】
上述したように、規制部１１１は規制面１１１ａに規制凸部１１１ｂを備えることで、規制面１１１ａに接したワイヤＷが規制面１１１ａから外れることが規制される。このような形状の規制部１１１がカバー５８０に設けられていると、カバー５８０を開ける際にワイヤＷが規制部１１１の規制凸部１１１ｂに引っ掛かり、カバー５８０が開けづらくなる。
【００７７】
そこで、リール１２０がオフセットされた側に、開閉可能なカバー５８０を備え、ワイヤＷが逆方向に送られることにより撓む方向であるワイヤＷがオフセットされた側の反対側のケース５６０に規制部１１１を備える。これにより、カバー５８０の開閉が、規制部１１１で阻害されることが抑制される。
【００７８】
また、収容部１１０は、横移動するワイヤＷが、リール１２０のフランジ部４３０を超えることを抑制する外れ規制部１１２を備えている。ワイヤＷを矢印Ｒで示す逆方向に送る動作では、図６に示すように、リール１２０に巻かれている部位のワイヤＷが、矢印Ｑ１で示すリール１２０の径方向に沿って、矢印Ｒ１で示すように広がる方向へ撓み、ワイヤＷの撓んだ部位が、収容部１１０において図２に示す第１の支持部６９０及び第２の支持部６８０に対してワイヤ通路１１０ｂが設けられる側の反対側の内壁部５１０に接する。
【００７９】
ワイヤＷの撓んだ部位が、図６に示すように内壁部５１０に接した状態で、更にワイヤＷが逆方向に送られると、ワイヤＷが、矢印Ｑ２で示すリール１２０の軸線方向に沿って、図６に矢印Ｒ２で示すように、リール１２０のフランジ部４３０方向へ横移動する。
【００８０】
このため、第１の支持部６９０及び第２の支持部６８０に対してワイヤ通路１１０ｂが設けられる側の反対側の図８に示す範囲Ｅ１で、ワイヤＷがフランジ部４３０を超えやすくなる。
【００８１】
そこで、外れ規制部１１２は、第１の支持部６９０及び第２の支持部６８０に対してワイヤ通路１１０ｂが設けられる側の反対側で、リール１２０の周方向の略半周程度の範囲に設けられる。外れ規制部１１２は、近接部１１２ａが、フランジ部４３０の外周面４３０ａと対向する。そして、外れ規制部１１２は、近接部１１２ａと、フランジ部４３０の外周面４３０ａとの間隔が、ワイヤＷの直径未満に設定されることで、横方向に移動したワイヤＷが、リール１２０のフランジ部４３０を超えることが抑制される。
【００８２】
また、外れ規制部１１２は、近接部１１２ａがフランジ部４３０と接しないように、リール１２０の径方向に沿った高さが設定される。但し、リール１２０とカバー５８０との間の寸法の誤差等によるがたつきにより、外れ規制部１１２とフランジ部４３０が接触する可能性がある。
【００８３】
ワイヤＷを正方向に送る動作で、外れ規制部１１２とフランジ部４３０が接触すると、ワイヤＷの送りに従動したリール１２０の回転が阻害される。外れ規制部１１２が、リール１２０の周方向に連続した形態で設けられていると、外れ規制部１１２とフランジ部４３０が接触した場合、抵抗が大きくなり、リール１２０の回転がより阻害される。
【００８４】
ワイヤＷを正方向に送る動作で、リール１２０の回転が阻害されると、リール１２０から引き出される部位のワイヤＷが、リール１２０に巻かれている部位のワイヤＷに挟まる食い込みと称す状態となる可能性がある。
【００８５】
そこで、外れ規制部１１２は、ワイヤＷがフランジ部４３０から外れにくい第１の支持部６９０及び第２の支持部６８０に対してワイヤ通路１１０ｂの側には設けず、リール１２０の周方向の略半周程度の範囲で、リール１２０の周方向に沿った複数個所に、所定の間隔を空けて設けられる。これにより、外れ規制部１１２とフランジ部４３０が接触した場合でも、リール１２０の回転が阻害されることが抑制され、ワイヤＷの食い込みが抑制される。
【００８６】
また、リール１２０は、カバー５８０に設けた第２の支持部６８０が凹部６７０に入ることで、カバー５８０に支持される。リール１２０が回転することで、第２の支持部６８０が摩耗すると、外れ規制部１１２とフランジ部４３０との間隔が広がり、外れ規制部１１２とフランジ部４３０との間にワイヤＷが挟まる可能性がある。
【００８７】
そこで、カバー５８０の第２の支持部６８０に硬質部材１１３を備える。ワイヤＷを正方向に送る動作で、第２の支持部６８０に対してリール１２０が摺動する部位であるワイヤ通路１１０ｂに対して遠い側の部位の第２の支持部６８０に、硬質部材１１３を設けることで、第２の支持部６８０の摩耗が抑制され、外れ規制部１１２とフランジ部４３０との間隔を保つことができる。
【００８８】
リール１２０を収容部１１０に収容するには、カバー５８０を開け、第１の支持部６９０にリール１２０のハブ部４１０を挿入する。リール１２０のハブ部４１０が第１の支持部６９０に支承されている状態で、カバー５８０が開いていると、リール１２０において第１の支持部６９０で支承されていない側の位置が、リール１２０の自重でずれる可能性がある。
【００８９】
このような状態からカバー５８０を閉じると、収容部１１０内でヒンジ部６１０側に位置するリール１２０のフランジ部４３０の外周面４３０ａに、ヒンジ部６１０側に位置する誘導部１１４の斜面１１４ｂが接し、更にカバー５８０を閉じることで、リール１２０のフランジ部４３０が、斜面１１４ｂで近接部１１４ａに向けて誘導される。これにより、リール１２０の径方向の位置合わせが行われ、カバー５８０の第２の支持部６８０がリール１２０の凹部６７０に入る。誘導部１１４が、カバー５８０において第２の支持部６８０に対してヒンジ部６１０が設けられている側の反対側にも設けられている構成では、カバー５８０を閉じる動作の終わりの段階で、収容部１１０内でヒンジ部６１０側が設けられている側の反対側に位置するリール１２０のフランジ部４３０の外周面４３０ａに、ヒンジ部６１０が設けられている側の反対側に位置する誘導部１１４の斜面１１４ｂが接し得る。これにより、リール１２０の径方向の位置合わせが行われる。
【００９０】
このように、カバー５８０を閉じる動作で、カバー５８０に設けた第２の支持部６８０に、リール１２０のフランジ部４３０に設けた凹部６７０が入るように、リール１２０の径方向の位置が、カバー５８０に設けた誘導部１１４で誘導される。
【００９１】
なお、図１０に示すように、外れ規制部１１２は、誘導部１１４と同様に、カバー５８０の内周面５８０ａから、リール１２０の径方向及び軸線方向に沿って突出する凸部で構成されることとしても良い。
【符号の説明】
【００９２】
１Ａ・・・鉄筋結束機、１１０・・・収容部、１１０ｅ・・・側壁部、１１１・・・規制部、１１１ａ・・・規制面、１１１ｂ・・・規制凸部、１１２・・・外れ規制部、１１２ａ・・・近接部、１１３・・・硬質部材、１１４・・・誘導部、１１４ａ・・・近接部、１１４ｂ・・・斜面、１２０・・・リール、１５０・・・結束部、１６０・・・ワイヤ送り部、１７０・・・送りギア、３１０、・・・ワイヤガイド、３５０・・・捩り部、４１０・・・ハブ部、４２０・・・フランジ部、４３０・・・フランジ部、５１０・・・内壁部、５６０・・・ケース、５７０・・・開口部、５８０・・・カバー、６７０・・・凹部、６９０・・・第１の支持部（支持部）、６８０・・・第２の支持部（支持部）、Ｗ・・・ワイヤ
【図１】
2020133129.tif 000003
【図２】
2020133129.tif 000004
【図３】
2020133129.tif 000005
【図４】
2020133129.tif 000006
【図５】
2020133129.tif 000007
【図６】
2020133129.tif 000008
【図７Ａ】
2020133129.tif 000009
【図７Ｂ】
2020133129.tif 000010
【図８】
2020133129.tif 000011
【図９】
2020133129.tif 000012
【図１０】
2020133129.tif 000013